(57)【特許請求の範囲】
【請求項１】
所定の回転軸を中心に回転可能とされた羽根車を内部に収容するとともに、吸込方向と吹出方向とが略垂直となるように吸込口と吹出口とが形成されたスクロールケーシングと、
前記スクロールケーシングを前記吸込方向に沿って両側から挟みこむように設けられ、前記吸込方向に沿って見た断面形状が略正方形形状を呈する側方ケーシングと、
前記側方ケーシングの外側であって前記吸込口の反対側に設けられて前記羽根車を回転させるモータと、
前記モータを覆い、前記吸込方向に沿って見た前記側方ケーシングの略正方形形状の４辺のいずれの辺に対して天面を向けた取付姿勢とするかを選択して取付可能とされたモータカバーと、
前記側方ケーシング同士の間を塞ぐように取付可能とされて雨水の浸入を防ぐ閉塞カバーと、を備え、
前記閉塞カバーは、前記側方ケーシング同士の間のうち前記吹出方向と垂直となる方向側を塞ぐ主カバー部と、前記主カバー部の端部に折り曲げられるように形成されて、前記側方ケーシング同士の間のうち前記吹出方向側で前記吹出口を避けて前記側方ケーシング同士の間を塞ぐ補助カバー部とを有することを特徴とする送風機。
【請求項２】
前記モータカバーの天面は、前記側方ケーシングから離れる方向に向けた下り傾斜となっていることを特徴とする請求項１に記載の送風機。
【請求項３】
前記主カバー部には、中心部が高く外側部が低くなる山型の傾斜が設けられていることを特徴とする請求項１または２に記載の送風機。
【請求項４】
前記補助カバー部は、前記主カバー部の両端に設けられ、互いに長さが異なることを特徴とする請求項１〜３のいずれか１つに記載の送風機。
【発明の詳細な説明】
【技術分野】
【０００１】
本発明は、据付姿勢を回転させることで３方向の吹出しに対応可能な送風機に関するものである。
【背景技術】
【０００２】
従来より、回転可能な送風機を内部に備えて、空気の吸込・吹出を行う送風機が用いられている。このような送風機は、屋外用か屋内用として予め設計・生産されたものがほとんどであり、その使用環境に応じて屋外用の送風機を用いるか屋内用の送風機を用いるかが選択される。また、共通ベースの上に羽根車やモータが固定されており、予め空気の吹出方向を指定した上で、送風機の発注を行う必要があった。
【先行技術文献】
【特許文献】
【０００３】
【特許文献１】特開平０６−２５７５９２号公報
【発明の概要】
【発明が解決しようとする課題】
【０００４】
しかしながら、送風機の設置姿勢やダクト配管方向は建築工事の途中で変更になることも多い。そのため、変更となった場合は吹出し方向が異なる送風機を新たに発注し直す必要があった。また、製造メーカにとっては、屋外用と屋内用のタイプに加え、吹出し方向の異なる複数のタイプをラインアップしておかなければならず、生産や在庫管理が煩雑になり、コスト増加を招いてしまうという問題があった。
【０００５】
本発明は、上記に鑑みてなされたものであって、使用環境や設置姿勢によらず使用可能であり、ラインアップ数を抑えてコストの抑制を図ることができる送風機を得ることを目的とする。
【課題を解決するための手段】
【０００６】
上述した課題を解決し、目的を達成するために、本発明は、所定の回転軸を中心に回転可能とされた羽根車を内部に収容するとともに、吸込方向と吹出方向とが略垂直となるように吸込口と吹出口とが形成されたスクロールケーシングと、スクロールケーシングを吸込方向に沿って両側から挟みこむように設けられ、吸込方向に沿って見た断面形状が略正方形形状を呈する側方ケーシングと、側方ケーシングの外側であって吸込口の反対側に設けられて羽根車を回転させるモータと、モータを覆い、吸込方向に沿って見た側方ケーシングの略正方形形状の４辺のいずれの辺に対して天面を向けた取付姿勢とするかを選択して取付可能とされたモータカバーと、側方ケーシング同士の間を塞ぐように取付可能とされて雨水の浸入を防ぐ閉塞カバーと、を備え、閉塞カバーは、側方ケーシング同士の間のうち吹出方向と垂直となる方向側を塞ぐ主カバー部と、主カバー部の端部に折り曲げられるように形成されて、側方ケーシング同士の間のうち吹出方向側で吹出口を避けて側方ケーシング同士の間を塞ぐ補助カバー部とを有することを特徴とする。
【発明の効果】
【０００７】
本発明によれば、１種類で屋内設置と屋外設置への対応および３方向への吹出方向の変更に対応可能な送風機を得ることができる。
【図面の簡単な説明】
【０００８】
【図１】図１は、本発明の実施の形態１にかかるシロッコ送風機の概略構成を示す外観斜視図である。
【図２】図２は、本発明の実施の形態１にかかるシロッコ送風機の６面図である。
【図３−１】図３−１は、シロッコ送風機の設置姿勢と吹出方向を説明するための図であって、左側吹出しの設置姿勢を示す図である。
【図３−２】図３−２は、シロッコ送風機の設置姿勢と吹出方向を説明するための図であって、上吹出しの設置姿勢を示す図である。
【図３−３】図３−３は、シロッコ送風機の設置姿勢と吹出方向を説明するための図であって、右側吹出しの設置姿勢を示す図である。
【図４】図４は、シロッコ送風機への屋外設置用カバー（モータカバーと閉塞カバー）の取付け図である。
【図５】図５は、モータカバーの６面図である。
【図６】図６は、閉塞カバーの６面図である。
【図７】図７は、閉塞カバーの変形例を示す６面図である。
【図８】図８は、シロッコ送風機の設置例の概略を示す図である。
【発明を実施するための形態】
【０００９】
以下に、本発明の実施の形態にかかる送風機を図面に基づいて詳細に説明する。なお、この実施の形態によりこの発明が限定されるものではない。
【００１０】
実施の形態１．
図１は、本発明の実施の形態１にかかるシロッコ送風機の概略構成を示す外観斜視図である。図２は、本発明の実施の形態１にかかるシロッコ送風機の６面図である。シロッコ送風機（送風機）１は、シロッコ羽根車（羽根車）２をモータ８で回転させることにより送風を行なう。
【００１１】
シロッコ送風機１の外郭は、ケーシング３によって構成される。ケーシング３は、スクロールケーシング１０と側方ケーシング２５とを有する。スクロールケーシング１０は、内部にシロッコ羽根車２を収容する。シロッコ羽根車２は、スクロールケーシング１０の内部において、回転軸Ｘを中心に回転可能とされる。
【００１２】
スクロールケーシング１０には、スクロールケーシング１０の内部に空気を吸込む吸込口４と、吸込口４から吸込まれた空気を吹出す吹出口５とが形成されている。吸込口４は、吸込口４での空気の吸込方向（以下、単に吸込方向ともいう。）が、シロッコ羽根車２の回転軸Ｘと略平行となるように形成されている。また、吹出口５は、吹出口５での空気の吹出方向（以下、単に吹出方向ともいう。）が、吸込方向と略垂直となるように形成されている。吸込口４、吹出口５にはそれぞれ、正方形のダクト接続用フランジ６ａ，６ｂが設けられている。
【００１３】
側方ケーシング２５は、吸込方向に沿ってスクロールケーシング１０を両側から挟むように設けられた２枚の板状部材である。吸込口４側に設けられる側方ケーシング２５には、吸込口４の位置に合わせて開口が形成されている。側方ケーシング２５は、吸込方向に沿った断面形状が略正方形形状であり、スクロールケーシング１０よりも外側に張り出す大きさとなっている。
【００１４】
側方ケーシング２５の外周部分には、固定用フランジ２５ａが形成されている。固定用フランジ２５ａには、シロッコ送風機１を建物躯体にボルトとナットを用いて固定するための本体固定用穴７が形成されている。
【００１５】
モータ８は、ケーシング３の外側であって、吸込口４の反対側に設けられる。モータ８の軸（図示せず）がシロッコ羽根車２に連結されることで、モータ８によってシロッコ羽根車２が回転可能とされる。モータ８には、電源コード９を介して電源が供給される。
【００１６】
図３−１〜３−３は、シロッコ送風機１の設置姿勢と吹出方向を説明するための図である。なお、図３−１〜３−３では、紙面手前側が吸込方向側であり、吸込方向側の側方ケーシング２５を省略して図示している。図３−１〜３−３に示すように、シロッコ送風機１は、略正方形形状を呈するケーシング３を９０度回転させることにより、紙面手前側から奥側へ空気を吸込み左側へ吹出す左側吹出しの設置姿勢（図３−１）、紙面手前側から奥側へ吸込み上側へ吹出す上吹出しの設置姿勢（図３−２）、紙面手前側から奥側へ吸込み右側へ吹出す右側吹出しの設置姿勢（図３−３）の３つの設置姿勢を選択することができる。
【００１７】
次に、モータカバーと閉塞カバーについて説明する。図４は、シロッコ送風機１への屋外設置用カバー（モータカバー１２と閉塞カバー１３）の取付け図である。図５は、モータカバー１２の６面図である。モータカバー１２は、モータ８を覆って雨水からモータ８を保護する目的で設置される。
【００１８】
モータカバー１２には、複数の貫通孔１２ａが形成されている。ケーシング３の側方ケーシング２５には、複数のモータカバー固定用ネジ穴１１が形成されている。貫通孔１２ａを通したモータカバー固定用ネジ１７をモータカバー固定用ネジ穴１１にねじ込むことで、モータカバー１２がケーシング３に固定される。
【００１９】
モータカバー１２の天面１４は、ケーシングから離れる方向に受けた下り傾斜となっている。下り傾斜の傾きは、例えば水平面に対して１０度である。これにより、雨水が天面１４上を流下させて、側方ケーシング２５から離れた端部側に誘導できるので、天面１４上に雨水が溜まりにくくなる。したがって、雨水によるモータカバー１２の腐食や、モータカバー１２と側方ケーシング２５との隙間からの雨水の浸入を抑えることができる。
【００２０】
また、モータカバー１２の底面１５は、側面の端面に対して５ｍｍオフセットされた構造となっており、モータカバー１２を伝って流れた雨水が切れるようになっている。モータカバー１２の底面１５には電源コード９を貫通させるための穴が設けられており、穴にはコードブッシュ１６が取付けられている。
【００２１】
ここで、モータカバー１２は、略正方形形状を呈する側方ケーシング２５の４辺のいずれの辺に対して天面１４を向けた取付姿勢とするかを選択して固定することができるようになっている。より具体的には、側方ケーシング２５に形成されるモータカバー固定用ネジ穴１１は、モータ８を囲むように四方それぞれに配置されるとともに、モータカバー１２を９０度ずらしても、貫通孔１２ａとモータカバー固定用ネジ穴１１とが重なるようになっている。このように、モータカバー１２の取付姿勢を選択することができるので、シロッコ送風機１の設置姿勢（図３−１〜３−３も参照）に関わらず、その天面１４を上方に向けて固定することが可能となる。
【００２２】
図６は、閉塞カバー１３の６面図である。閉塞カバー１３は、スクロールケーシング１０の凹部に雨水が侵入して溜まることを防ぐ目的で設置される。図３−１〜３−３に示すように、凹部３０，３１，３２となる部位は、シロッコ送風機１の設置姿勢によって異なることとなる。閉塞カバー１３は、シロッコ送風機１の設置姿勢に合わせて、凹部３０，３１，３２への雨水の浸入を防ぐことができるように、閉塞位置を異ならせることができる。
【００２３】
閉塞カバー１３は、主カバー部１３ａと補助カバー部１３ｂ，１３ｃとを有する。主カバー部１３ａは、側方ケーシング２５同士の間のうち吹出方向と垂直となる方向側を塞ぐ。すなわち、主カバー部１３ａは、平面視において略長方形形状を呈し、その長辺が側方ケーシング２５の一辺の長さと略等しく、その短辺が側方ケーシング２５同士の間の距離に略等しくなっている。
【００２４】
補助カバー部１３ｂは、主カバー部１３ａの一方の端部となる短辺から９０度折り曲げられるように形成される。補助カバー部１３ｂは、図３−２に示す上方吹出や図３−３に示す右側吹出において、側方ケーシング２５同士の間のうち吹出方向側で吹出口５よりも上方となる部分を塞ぐ。すなわち、補助カバー部１３ｂは、吹出方向側で吹出口５を避けた部分で側方ケーシング２５同士の間を塞ぐ。
【００２５】
補助カバー部１３ｃは、主カバー部１３ａの他方の端部となる短辺から９０度折り曲げられるように形成される。補助カバー部１３ｃは、図３−１に示す左側吹出において、側方ケーシング２５同士の間のうち吹出方向側で吹出口５よりも上方となる部分を塞ぐ。すなわち、補助カバー部１３ｃは、吹出方向側で吹出口５を避けた部分で側方ケーシング２５同士の間を塞ぐ。
【００２６】
側方ケーシング２５同士の間の空間のうち、吹出方向側では吹出口５の両側で塞ぐべき空間の形状が異なっている。そのために、補助カバー部１３ｂと補助カバー１３ｃとで、主カバー部１３ａからの突出長さを異ならせて、吹出口５の両側のどちらの空間でも閉塞カバー１３で塞げるようになっている。
【００２７】
閉塞カバー１３は、側方ケーシング２５の固定用フランジ２５ａに形成された本体固定用穴７に対して、閉塞カバー固定用ボルト１８、閉塞カバー固定用ナット１９および閉塞カバー固定用ワッシャ２０にて固定される。
【００２８】
ここで、側方ケーシング２５が略正方形形状を呈しているので、吹出方向を除く辺同士で本体固定用穴７の形成位置を一致させれば、側方ケーシング２５の吹出方向を除くいずれの辺であっても、主カバー部１３ａで塞ぐことができる。そして、図３−１〜３−３に示すように、閉塞カバー１３の取付位置を選択することで、シロッコ送風機１の設置姿勢（図３−１〜３−３も参照）に関わらず、凹部３０，３１，３２に雨水が浸入するのを防ぐように閉塞カバー１３を取付けることができる。
【００２９】
なお、図示は省略するが、下方吹出となる姿勢でシロッコ送風機１を設置した場合には、水が溜まる凹部ができにくいため、上方が主カバー部１３ａで塞がれるように閉塞カバー１３を取り付ければよい。
【００３０】
図７は、閉塞カバー１３の変形例を示す６面図である。変形例にかかる閉塞カバー１３には傾斜が設けられている。閉塞カバー１３に設けられた傾斜は、中心部が高く外側部が低くなる略山型の傾斜であり、雨水が本体外側へ向かい流れる構造となっている。
【００３１】
図８は、シロッコ送風機１の設置例の概略を示す図である。建物２１の屋上２２にシロッコ送風機１は設置されている。シロッコ送風機１はダクト２４を介して建物２１の室内に設けられた排気口２３から室内の空気を吸込み換気を行う。
【００３２】
以上説明したように、本実施の形態１にかかるシロッコ送風機１では、１種類の製品で３方向の吹出に対応できるため、ユーザーにとっては施工自由度が高まるとともに、製品注文時に吹出し方向を指定する手間を減らすことができる。また、製造メーカにとっては製品ラインアップの種類を減らすことが可能となる。これにより、コストの抑制を図ることができる。
【００３３】
また、ケーシング３（側方ケーシング２５）が略正方形形状を呈しているため、３方向の吹出方向のうちいずれの吹出方向を選択した場合でも、設置面積や取付けボルトのピッチが一致する。そのため、シロッコ送風機１の設置姿勢やダクト配管方向が建築工事の途中で変更になった場合であっても、容易に対応することが可能となる。
【００３４】
また、必要に応じてモータカバー１２や閉塞カバー１３といった屋外設置用カバーを追加することにより、１種類の製品で屋内設置と屋外設置の両方に対応可能となる。そのため、吹出方向の対応と同様に、ユーザーにとっては施工自由度が高まり、製造メーカにとっては製品ラインアップの削減、製造工程の標準化を行うことができる。これにより、より一層のコストの抑制を図ることができる。
【産業上の利用可能性】
【００３５】
以上のように、本発明にかかる送風機は、内部に羽根車を備えて吸込口と吹出口とが形成された送風機に有用である。
【符号の説明】
【００３６】
１  シロッコ送風機（送風機）
２  シロッコ羽根車（羽根車）
３  ケーシング
４  吸込口
５  吹出口
６ａ，６ｂ  ダクト接続用フランジ
７  本体固定用穴
８  モータ
９  電源コード
１０  スクロールケーシング
１１  モータカバー固定用ネジ穴
１２  モータカバー
１２ａ  貫通孔
１３  閉塞カバー
１３ａ  主カバー部
１３ｂ，１３ｃ  補助カバー部
１４  天面
１５  底面
１６  コードブッシュ
１７  モータカバー固定用ネジ
１８  閉塞カバー固定用ボルト
１９  閉塞カバー固定用ナット
２０  閉塞カバー固定用ワッシャ
２１  建物
２２  屋上
２３  排気口
２４  ダクト
２５  側方ケーシング
２５ａ  固定用フランジ
３０，３１，３２  凹部
Ｘ  回転軸
【図１】
0005755166.tif 000002
【図２】
0005755166.tif 000003
【図３−１】
0005755166.tif 000004
【図３−２】
0005755166.tif 000005
【図３−３】
0005755166.tif 000006
【図４】
0005755166.tif 000007
【図５】
0005755166.tif 000008
【図６】
0005755166.tif 000009
【図７】
0005755166.tif 000010
【図８】
0005755166.tif 000011